(57)【要約】【課題】更にリアルな仮想環境を提供するべく仮想環境と無線によるモデルのシンクロ制御システムを提供する。【解決手段】ドア１３や窓１４、厨房１５や浴室１６などに設けた探知機２１，３１，４１，５１に送信機２２，３２，４２，５２を結合させ、該探知器２１，３１，４１，５１が探知したシグナルを該送信機２２，３２，４２，５２によってRF送受信機１０が設置されたコンピュータのホスト１がこれを受信、駆動プログラムを応用し、該プログラム内の仮想の標的物が既に学習した動作を執行すると同時に、リモコンによって同時に操作されるべく、無線送受信機６１，７１，８１，９１をモデル６，７，８，９内に設置し、該ホスト１がリモコンの指令を受けると指令に応じて動作をすることによって、バーチャルアニメーションと同時に実在する該モデル６，７，８，９の動作を制御する。【選択図】        図１
2005065832.tif 000002
【特許請求の範囲】
【請求項１】
実在する家屋のドアや窓、厨房や浴室などの環境に対応してコンピュータやPDA（パーソナルデータアシスタント）やゲーム機器などにおいて設定された仮想環境を選択し、これらの機器のホスト内に設置したRF（ラジオフリーケンシー）送受信機を設置し、
該実在する環境のドアや窓、厨房や浴室などにそれぞれ温度探知機、震動探知機、煙探知機、或いは湿度探知機などと連結された発信機を設け、
該発信機を通じてこれら家屋内の探知機より発せられるシグナルを該RF送受信機により該ホストにまで伝送すると同時に、該家屋内には動くモデルとして熊のぬいぐるみや蜘蛛、子犬、車などの玩具を設け、該玩具にはすべて無線送受信機を設けることにより、
使用者が該ホストに設けられたモニタ上の仮想環境内にて対応する該動くモデルの移動路線を操作、或いはリモコン操作し、更に該ホストにより学習記録や該モデルの移動路線を保存することを特徴とする仮想環境と無線によるモデルのシンクロ制御システム。
【請求項２】
該ホストには編集の完成した模擬駆動プログラムがインプットされていることより、実在する実際の環境に配置されたモデルをリモートコントロールすることを特徴とする請求項１記載の仮想環境と無線によるモデルのシンクロ制御システム。
【請求項３】
仮想環境の配置や情景を選択する際は、リモコンにより制御することを特徴とする請求項１記載の仮想環境と無線によるモデルのシンクロ制御システム。
【請求項４】
実在する環境内に位置するモデルに対応して仮想環境内に設置されたモデルである人物や動物或いは玩具など形態を呈したバーチャルアニメは、実在するリモコンによって操作されることを特徴とする請求項１記載の仮想環境と無線によるモデルのシンクロ制御システム。
【請求項５】
実在する環境内のモデルに対応させて設けられた仮想環境内のモデルをシミュレーションコントロールする際、その学習モードは自動或いは手動の無線リモコンによるものとすることを特徴とする請求項１記載の仮想環境と無線によるモデルのシンクロ制御システム。
【発明の詳細な説明】
【技術分野】
【０００１】
本発明は仮想環境と無線によるモデルのシンクロ制御システムに係り、特に実在するロケーションの実在する物体に対応する仮想の環境と物体を、コンピュータのモニタでバーチャルアニメ化し、該仮想環境内の仮想の物体を実在するリモコンによって操作することで、仮想環境内の物体と実在する環境内の物体とを同時に操作するシンクロ制御システムに関わる。
【背景技術】
【０００２】
現在使用されているコンピュータ上のバーチャルアニメーションでは、室外の環境に山岳や草原、河川や湖、海や氷雪、鉄道や道路、路地といったものが設定されていて選択するものがある。建築物にはビルやマンション、平屋に別荘、コテージや廃屋などが選択でき、その他には昼間、夜、星空や月、太陽、雨天や晴天等のオプションもあり、プレーヤーがこれらの選択肢を自由に組み合わせることでバーチャルアニメーション環境が楽しめるようになっている。
【発明の開示】
【発明が解決しようとする課題】
【０００３】
上述のような公知におけるバーチャルアニメーションは、例えば屋内で使用されるランニングマシンなどに連結されることで、該マシンに設置されたモニタに上述のようなロケーションが現れるのであるが、しかし公知のものではワイヤによる連結を必要としており、実在する環境とはまったく無関係の仮想の世界しか表現されておらず、リアルさに欠ける。
そこで上述の欠点に鑑み、更にリアルな仮想環境を提供するべく本発明の仮想環境と無線によるモデルのシンクロ制御システムを提供する。
【課題を解決するための手段】
【０００４】
コンピュータやPDA（パーソナルデータアシスタント）やゲーム機器のホスト内に設けられたRF送受信機がシグナルを受信する固定物、例えばドアや窓、厨房や浴室などに探知機を設け、送信機を該探知機と結合させることにより、該探知器が探知したシグナルを該送信機によって該ホストに伝送し、該RF送受信機が設置されたホストが駆動プログラムを応用し、該ホストが指令を受信することで該ホストのプログラム内の仮想の標的物が既に学習した動作を執行すると同時に、リモコンにより実在するモデルが同時に操作されるべく、無線送受信機を該モデル内に設置することで、該ホストからリモコンの指令を受けると指令に応じて動作をすることによって、バーチャルアニメーションと同時に実在するモデルの動作を制御する。
【発明の効果】
【０００５】
本発明によると、探知機と無線送受信機を設けたことにより仮想環境アニメーションと実在するモデルとが同時に動作をする目的が達成された他、所望の環境や建物の種類や内部の配置を選択できたり、手動或いは自動でリモコン操作が行えることから、生活に密着し且つ誰もが楽しめるシステムを提供することに成功した。
【発明を実施するための最良の形態】
【０００６】
図１，２に示すように、本発明では仮想環境と無線によるモデルのシンクロ制御システムを提供するが、まずプレーヤーがアナログ或いは液晶タイプのモニタを具有するコンピュータやPDA（パーソナルデータアシスタント）やゲーム機器などの適当な装置に、駆動光ディスクをインプットし、該装置のホスト１にてインストールを行う。
次に該コンピュータのモニタ１１に表示される仮想環境を以下のようなロケーションから選択する。例えば家屋１２のドア１３や窓１４並びに厨房１５や浴室１６などであり、これは実在するロケーション内の間取りやロケーション内の実在する物体の配置位置に合わせて仮想ロケーションのそれを模倣するものとする。これをコンピュータやPDA（パーソナルデータアシスタント）やゲーム機器などのホスト１内にRF送受信機１０に設置することで、固定された実在する物体の発信するシグナルを受信するが、発信源にはドア２に設置された温度探知機２１や窓３に設置された震動探知機３１、並びに厨房４に設置された煙探知機４１、更には浴室５に設置された湿度探知機５１などが含まれる。こうして家屋１００に設置された各探知機により、シグナルが該送信機２２，３２，４２，５２を通して該ホスト１にまで送信される。
実際にモデルを移動させる手順に入るが、まず該モデルとは、例えば熊のぬいぐるみ６や蜘蛛型の玩具７、並びに子犬型の玩具８や車型の玩具９などを含み、これらに無線受信器６１，７１，８１，９１を設けることにより、使用者が該ホスト１のモニタ上の（仮想上の）モデルの配置位置を頼りに移動路線１０１を制御する、或いはリモコン操作する。該ホスト１には学習記録として該熊のぬいぐるみ６の移動路線１０１が保存され、該RF（ラジオフリーケンシー）送受信機１０と無線送受信機６１，７１，８１，９１の間で無線シグナルを相互に伝送し合う。
【０００７】
リモコン操作には以下の手順が含まれる。先ず第一の手順として、編集の完成した模擬駆動プログラムをインプット２００し、第二に環境に屋内のセッティングを模倣したものを選択２０１し、第三に人物や動物並びに玩具をバーチャルアニメ化２０２し、第四に実在するリモコンでモデルを操作２０３したり、或いは第五の手順として学習モードを自動或いは手動によって無線コントロール２０４する。
上述の第二の手順において環境として選択されるものには、例えば山岳や草原、河川や湖、海に氷雪、鉄道や路、路地など、また建築物としては例えばビルやアパート、平屋や別荘、コテージや廃屋などが含まれ、プレーヤーが自ら組み合わせを行う。他には建物の外観として昼や夜、星夜や月、太陽、また天気などを、無線による指令を出して多様な組み合わせを実行できるようにする。    家屋１００においてはモニタ上では平面俯瞰図で表示され、ぬいぐるみ６を始めとするその他のモデル７，８，９は、配置やカラーの選択もできるようにする。
また第三の手順においてはアニメ化された人物や動物、玩具などを、実在するリモコンによってアニメ中の一つのモデルをシュミレーションコントロールする。第四の手順においては、第一の手順で既にインプットされたプログラムにはモデルに動作を与える機能及びメモリとコード化の機能を具有し、また実在するモデルもこれと同様に動作とメモリとコード化の機能を具有するため、手動でバーチャルアニメを操作するが、このとき無線リモコンを操作することで実在するリモコンを同時に制御する。
最後に第五の手順においては、プログラム中のアニメには予め複雑な機能を学習する設計がなされており、プレーヤーが手動で操作した一部始終をボタンを押して確認させることにより学習が完了する。こうして自動モードに切り替えた際、執行ボタンを押すだけで、過去の学習された動作が復元され、このとき無線リモコンが実在するモデルを同時に動作させる。また実在する環境には各種探知機が設けられており、またこれらの探知機には各種送信機２２，３２，４２，５２が設けられていることより、探知機が探知することで、本来より設定されている執行事項が無線により指令が伝達され、仮想環境内の標的物が既に記憶されている機能を執行し、実在するモデル６，７，８，９などが無線リモコンの指令を受けて同時に動作する。
【０００８】
実際に使用する際は、図３及び上述に示すように、ドア２に温度探知機２１、窓３には震動探知機３１、及び厨房４には煙探知機４１、浴室５には湿度探知機５１が設けられていることより、家屋１００に設けられたこれらの各種探知機がシグナルを探知すると、送受機２２，３２，４２，５２がホスト１に送るシグナルを伝送することで、該家屋１００内に設けられた各種探知機がシグナルを発しているかどうかを探知する。使用者は該ホスト１により配置されている仮想の物体であるモデル６，７，８，９の移動路線１０１に合わせて移動をシミュレーションコントロールする。
図４に示すように、該ホスト１の学習記録や該モデル６などの移動路線１０１を記憶することにより、例えば窓３を例に挙げると、該窓３上に設置された震動探知機３１が震動を受けることでシグナルをホスト１に伝送し、それがモニタ１１にて顕示され、使用者は該窓３が物体に触れられた、或いは該窓３が開閉されたことを知ることができる。
【図面の簡単な説明】
【０００９】
【図１】本発明の仮想環境と無線によるモデルのシンクロ制御システムにおける構造図である。
【図２】本発明における仮想環境使用におけるフローチャートを示す図である。
【図３】本発明による仮想上のモデルの移動路線実施例を示す図である。
【図４】本発明において、動静が探知機で探知された様子を示す図である。
【符号の説明】
【００１０】
１  ホスト
１０  RF（ラジオフリーケンシー）送受信機
１１  モニタ
１２  家屋
１３  ドア
１４  窓
１５  厨房
１６  浴室
２  ドア
２１  温度探知機
２２，３２，４２，５２  送信機
３  窓
３１  震動探知機
４  厨房
４１  煙探知機
５  浴室
５１  湿度探知機
６  熊のぬいぐるみ
６１，７１，８１，９１  無線受信機
７  蜘蛛型の玩具
８  子犬型の玩具
９  車型の玩具
１００  家屋
１０１  移動路線
２００  編集の完成した模擬駆動プログラムをインプット
２０１  環境に屋内のセッティングを模倣したものを選択
２０２  人物や動物並びに玩具をバーチャルアニメ化
２０３  実在するリモコンによりモデルを操作
２０４  学習モードを自動或いは手動により無線コントロール
【図１】
2005065832.tif 000003
【図２】
2005065832.tif 000004
【図３】
2005065832.tif 000005
【図４】
2005065832.tif 000006